【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
区分化されたディスプレイの複数の表示領域に関する表示データを含むビデオディスプレイソースを生成するように構成されたビデオ生成システムと、
前記ビデオディスプレイソースを受け取り、前記複数の表示領域の異なる１つにそれぞれが対応する複数のビデオストリームを生成するように構成されたマルチディスプレイ出力デバイダと、
前記ビデオディスプレイソースを複製して複数のビデオストリームを生成するように構成されたディスプレイソースデバイダと、
その各々が前記複数の表示領域の異なる１つについてタイミング同期をシフトするように構成され、それにより表示に関して表示領域が再配置し、さらに複数の表示領域の中の指定の１つを除く全てのピクセルデータを暗くするように構成された複数の表示領域プロセッサと
を含むことを特徴とするマルチディスプレイシステム。
【請求項２】
前記ビデオ生成システムは、ゲームシステムの複数のプレーヤに対する前記表示データを含む前記ビデオディスプレイソースを生成するように構成された前記ゲームシステムであることを特徴とする請求項１に記載のマルチディスプレイシステム。
【請求項３】
前記ビデオ生成システムは、ゲームシステムの複数のプレーヤに対する前記表示データを含む前記ビデオディスプレイソースを生成するように構成された前記ゲームシステムであり、前記マルチディスプレイ出力デバイダは、前記ゲームシステムのオーディオ−ビジュアルコンポーネントであることを特徴とする請求項１に記載のマルチディスプレイシステム。
【請求項４】
前記マルチディスプレイ出力デバイダが、前記ビデオディスプレイソースをアナログビデオデータとして受け取るようにさらに構成され、前記マルチディスプレイ出力デバイダは、前記アナログビデオデータをデジタルビデオデータに変換するように構成されたアナログ−デジタル変換器を含むことを特徴とする請求項１に記載のマルチディスプレイシステム。
【請求項５】
前記マルチディスプレイ出力デバイダが、前記ビデオディスプレイソースをアナログビデオデータとして受け取るようにさらに構成され、前記マルチディスプレイ出力デバイダは、
前記アナログビデオデータをデジタルビデオデータに変換するように構成されたアナログ−デジタル変換器と、
前記複数のビデオストリームの異なる１つをアナログビデオデータに変換するようにそれぞれ構成された複数のデジタル−アナログ変換器と
を含むことを特徴とする請求項１に記載のマルチディスプレイシステム。
【請求項６】
前記マルチディスプレイ出力デバイダは、
前記ソースデバイダと、
前記複数の表示領域プロセッサと
を含むことを特徴とする請求項１に記載のマルチディスプレイシステム。
【請求項７】
指定の表示領域に対応する表示領域プロセッサは、さらに、指定の表示領域について水平タイミング同期および垂直タイミング同期をシフトするように構成され、それにより前記指定の領域が表示に関して水平的および垂直的に再配置されることを特徴とする請求項１に記載のマルチディスプレイシステム。
【請求項８】
前記ディスプレイソースデバイダは、
前記ビデオディスプレイソースを水平方向で再サンプリングして、水平方向でサイズ変更されている前記複数の表示領域の少なくとも１つに対応する表示領域データを生成し、
前記少なくとも１つの表示領域が垂直方向でサイズ変更されるように前記表示領域データを垂直方向で再サンプリングし、
前記少なくとも１つの表示領域がフルスクリーン表示のために位置付けられるようにタイミング同期データを生成する
ように構成されたことを特徴とする請求項１に記載のマルチディスプレイシステム。
【請求項９】
前記複数のビデオストリームの異なる１つを受け取るようにそれぞれが構成され、前記複数の表示領域の異なる１つを表示するようにさらに構成された複数のディスプレイデバイスをさらに含むことを特徴とする請求項１に記載のマルチディスプレイシステム。
【請求項１０】
請求項１に記載のマルチディスプレイシステムを含むことを特徴とするゲームシステム。
【請求項１１】
区分化されたディスプレイに対する表示データを含むビデオディスプレイソースを受け取るように構成され、前記区分化されたディスプレイの異なる表示領域にそれぞれが対応する複数のビデオストリームを生成するようにさらに構成されたディスプレイソースデバイダと、
その各々が異なる表示領域についてタイミング同期をシフトするように構成され、それにより各々のディスプレイデバイスの表示について各表示領域を再配置する複数の表示領域プロセッサであって、さらに異なる複数の表示領域の中の指定の１つを除く全てのピクセルデータを暗くするように構成された複数の表示領域プロセッサと、
前記複数のビデオストリームの異なる１つをアナログビデオデータに変換して、各表示領域が別個のディスプレイデバイス上の表示のために構成されるようにするようにそれぞれ構成された複数のデジタル−アナログ変換器と
を含むことを特徴とするマルチディスプレイ出力デバイダ。
【請求項１２】
前記ディスプレイソースデバイダが、ゲームシステムの複数のプレーヤのために前記区分化されたディスプレイに対する前記表示データを生成する前記ゲームシステムから前記ビデオディスプレイソースを受け取るようにさらに構成されていることを特徴とする請求項１１に記載のマルチディスプレイ出力デバイダ。
【請求項１３】
前記ディスプレイソースデバイダは、前記ビデオディスプレイソースを複製して前記複数のビデオストリームを生成するように構成されたディスプレイソースレプリケータを含むことを特徴とする請求項１１に記載のマルチディスプレイ出力デバイダ。
【請求項１４】
アナログビデオディスプレイソースをデジタルビデオディスプレイソースに変換するように構成されたアナログデジタル変換器をさらに含むことを特徴とする請求項１１に記載のマルチディスプレイ出力デバイダ。
【請求項１５】
前記ディスプレイソースデバイダは、前記複数の表示領域プロセッサを含むことを特徴とする請求項１１に記載のマルチディスプレイ出力デバイダ。
【請求項１６】
前記指定の表示領域に対応する表示領域プロセッサが、前記指定された表示領域がそれぞれのディスプレイデバイス上の表示のために位置変更されるように前記指定された表示領域に関する水平タイミング同期と垂直タイミング同期をシフトさせるようにさらに構成されていることを特徴とする請求項１１に記載のマルチディスプレイ出力デバイダ。
【請求項１７】
前記ディスプレイソースデバイダは、
前記ビデオディスプレイソースを水平方向で再サンプリングして、水平方向でサイズ変更されている前記異なる表示領域の少なくとも１つに対応する表示領域データを生成するように構成された水平リサンプラと、
前記少なくとも１つの表示領域が垂直方向でサイズ変更されるように前記表示領域データを垂直方向で再サンプリングするように構成された垂直リサンプラと、
表示領域がそれぞれのディスプレイデバイス上のフルスクリーン表示のために位置付けられるように前記表示領域の異なる１つに関するタイミング同期データを生成するようにそれぞれが構成された複数の表示領域タイミングジェネレータと
を含むことを特徴とする請求項１１に記載のマルチディスプレイ出力デバイダ。
【請求項１８】
請求項１１に記載のマルチディスプレイ出力デバイダを含むことを特徴とするゲームシステム。
【請求項１９】
ディスプレイデバイス上の複数の表示領域に関する表示データを受け取るように構成され、前記表示データを複製して、前記複数の表示領域の異なる１つにそれぞれが対応する複数のビデオストリームを生成するようにさらに構成されたディスプレイソースレプリケータと、
各表示領域がそれぞれのディスプレイデバイス上の表示のために位置変更されるように異なる表示領域に関するタイミング同期をシフトさせるようにそれぞれが構成された複数の表示領域プロセッサであって、その各々が複数の表示領域の中の指定の１つを除く全てのピクセルデータを暗くするように構成された複数の表示領域プロセッサと
を含むことを特徴とするディスプレイソースデバイダ。
【請求項２０】
前記複数の表示領域プロセッサがそれぞれ、異なる表示領域に関する水平タイミング同期と垂直タイミング同期をシフトさせるようにさらに構成されていることを特徴とする請求項１９に記載のディスプレイソースデバイダ。
【請求項２１】
前記複数の表示領域プロセッサが前記指定された表示領域が表示のために位置変更されるように前記指定された表示領域に関する水平タイミング同期と垂直タイミング同期をシフトさせるようにさらに構成されていることを特徴とする請求項１９に記載のディスプレイソースデバイダ。
【請求項２２】
前記複数の表示領域プロセッサがそれぞれ、前記複数の表示領域のいずれが特定の表示領域プロセッサに関連付けられるかを指定する選択制御入力を受け取るようにさらに構成されていることを特徴とする請求項１９に記載のディスプレイソースデバイダ。
【請求項２３】
請求項１９に記載のディスプレイソースデバイダを含むことを特徴とするゲームシステム。
【請求項２４】
ディスプレイデバイス上の複数の表示領域に関する高精細度フォーマットの表示データを受け取るように構成され、前記表示データを水平方向で再サンプリングして、水平方向でサイズ変更されている前記複数の表示領域の少なくとも１つに対応する、標準精細度フォーマットの表示領域データを生成するようにさらに構成された水平リサンプラと、
前記少なくとも１つの表示領域が垂直方向でサイズ変更されるように前記標準精細度フォーマットの表示領域データを垂直方向で再サンプリングするように構成された垂直リサンプラと、
表示領域がそれぞれのディスプレイデバイス上のフルスクリーン表示のために位置付けられるように前記表示領域の異なる１つに関するタイミング同期データを生成するようにそれぞれが構成された複数の表示領域タイミングジェネレータと
を含むことを特徴とするディスプレイソースデバイダ。
【請求項２５】
前記水平リサンプラが、高精細度フォーマット向けに第２の表示領域に対応する追加の表示領域データを生成するようにさらに構成され、前記垂直リサンプラが、前記高精細度フォーマット向けに前記追加の表示領域データを再サンプリングするようにさらに構成されていることを特徴とする請求項２４に記載のディスプレイソースデバイダ。
【請求項２６】
前記複数の表示領域タイミングジェネレータがそれぞれ、前記複数の表示領域のいずれが特定の表示領域タイミングジェネレータに関連付けられるかを指定する選択制御入力を受け取るようにさらに構成されていることを特徴とする請求項２４に記載のディスプレイソースデバイダ。
【請求項２７】
請求項２４に記載のディスプレイソースデバイダを含むことを特徴とするゲームシステム。
【請求項２８】
区分化されたディスプレイの複数の表示領域に関する表示データを含むビデオディスプレイソースを受け取るステップと、
前記複数の表示領域のそれぞれに関して前記ビデオディスプレイソースからタイミング同期データを抽出するステップと、
各表示領域が別個のディスプレイデバイス上の表示のために構成されるように前記複数の表示領域の異なる１つにそれぞれが対応する複数のビデオストリームを生成するステップと
複数の表示領域の中の指定の１つを除く全てのピクセルデータを暗くするステップと、
前記指定の表示領域についてのタイミング同期をシフトして表示に関して前記指定の表示領域の位置を変更するステップと
を含むことを特徴とする方法。
【請求項２９】
前記受け取るステップは、ゲームシステムの複数のプレーヤに対する前記表示データを生成する前記ゲームシステムから前記ビデオディスプレイソースを受け取るステップを含むことを特徴とする請求項２８に記載の方法。
【請求項３０】
前記ビデオディスプレイソースがアナログビデオデータとして受け取られた場合、前記ビデオディスプレイソースをデジタルビデオデータに変換するステップをさらに含むことを特徴とする請求項２８に記載の方法。
【請求項３１】
前記複数の表示領域のそれぞれが別個のディスプレイデバイス上の表示のために構成されるように前記複数のビデオストリームのそれぞれをアナログビデオデータに変換するステップをさらに含むことを特徴とする請求項２８に記載の方法。
【請求項３２】
前記複数のビデオストリームを生成するステップは、前記ビデオディスプレイソースを複製するステップを含むことを特徴とする請求項２８に記載の方法。
【請求項３３】
表示領域が表示のために位置変更されるように前記複数の表示領域のそれぞれに関するタイミング同期をシフトさせるステップをさらに含むことを特徴とする請求項２８に記載の方法。
【請求項３４】
前記指定された表示領域が表示のために水平方向と垂直方向で位置変更されるように前記指定された表示領域に関する水平タイミング同期と垂直タイミング同期をシフトさせるステップと
をさらに含むことを特徴とする請求項２８に記載の方法。
【請求項３５】
前記複数のビデオストリームを生成するステップは、
前記ビデオディスプレイソースを水平方向で再サンプリングして、水平方向でサイズ変更されている前記複数の表示領域の少なくとも１つに対応する表示領域データを生成するステップと、
前記少なくとも１つの表示領域が垂直方向でサイズ変更されるように前記表示領域データを垂直方向で再サンプリングするステップと
を含むことを特徴とする請求項２８に記載の方法。
【請求項３６】
前記複数のビデオストリームを生成するステップは、
前記ビデオディスプレイソースを水平方向で再サンプリングして、水平方向でサイズ変更されている前記複数の表示領域の少なくとも１つに対応する表示領域データを生成するステップと、
前記少なくとも１つの表示領域が垂直方向でサイズ変更されるように前記表示領域データを垂直方向で再サンプリングするステップと、
前記少なくとも１つの表示領域がフルスクリーン表示のために位置付けられるようにタイミング同期データを生成するステップと
を含むことを特徴とする請求項２８に記載の方法。
【請求項３７】
表示デバイス上の複数の表示領域に関する表示データを含むビデオディスプレイソースを受け取るステップと、
前記複数の表示領域のそれぞれに関して前記ビデオディスプレイソースからタイミング同期データを抽出するステップと、
前記ビデオディスプレイソースを複製して、前記複数の表示領域の異なる１つにそれぞれが対応する複数のビデオストリームを生成するステップと、
前記複数の表示領域の中の指定の１つを除く全てのピクセルデータを暗くするステップと、
前記指定の表示領域についてのタイミング同期をシフトして前記指定の表示領域の位置を変更するステップと
を含むことを特徴とする方法。
【請求項３８】
表示領域が表示のために位置変更されるように前記複数の表示領域のそれぞれに関するタイミング同期をシフトさせるステップをさらに含むことを特徴とする請求項３７に記載の方法。
【請求項３９】
前記指定された表示領域が表示のために水平方向と垂直方向で位置変更されるように前記指定された表示領域に関する水平タイミング同期と垂直タイミング同期をシフトさせるステップとをさらに含むことを特徴とする請求項３７に記載の方法。
【請求項４０】
実行された際、ディスプレイソースデバイダに指示して請求項３７に記載の方法を実行するようにさせるコンピュータ実行可能命令を含むことを特徴とする１つまたは複数のコンピュータ可読メディア。
【請求項４１】
実行された際、ディスプレイソースデバイダに指示して、区分化されたディスプレイの複数の表示領域に関する表示データを含むビデオディスプレイソースを受け取るようにさせ、
前記複数の表示領域の各々についてビデオディスプレイソースからタイミング同期を抽出させ、
各表示領域が別個のディスプレイデバイス上の表示のために構成されるように前記複数の表示領域の異なる１つにそれぞれが対応する複数のビデオストリームを生成させ、
前記複数の表示領域の中の指定の１つを除き、全てのピクセルデータを暗くさせ、
前記指定の表示領域についてのタイミング同期をシフトして前記指定の表示領域の位置を変更刷させるコンピュータ実行可能命令を含むことを特徴とする１つまたは複数のコンピュータ可読メディア。
【請求項４２】
実行された際、前記ディスプレイソースデバイダに指示して、前記ビデオディスプレイソースがアナログビデオデータとして受け取られた場合、前記ビデオディスプレイソースをデジタルビデオデータに変換するようにさせるコンピュータ実行可能命令をさらに含むことを特徴とする請求項４１に記載の１つまたは複数のコンピュータ可読メディア。
【請求項４３】
実行された際、前記ディスプレイソースデバイダに指示して、前記複数の表示領域のそれぞれが別個のディスプレイデバイス上の表示のために構成されるように前記複数のビデオストリームのそれぞれをアナログビデオデータに変換するようにさせるコンピュータ実行可能命令をさらに含むことを特徴とする請求項４１に記載の１つまたは複数のコンピュータ可読メディア。
【請求項４４】
実行された際、前記ディスプレイソースデバイダに指示して、前記ビデオディスプレイソースを複製して前記複数のビデオストリームを生成するようにさせるコンピュータ実行可能命令をさらに含むことを特徴とする請求項４１に記載の１つまたは複数のコンピュータ可読メディア。
【請求項４５】
実行された際、前記ディスプレイソースデバイダに指示して、前記指定された表示領域が表示のために水平方向と垂直方向で位置変更されるように前記指定された表示領域に関する水平タイミング同期と垂直タイミング同期をシフトさせるようにするコンピュータ実行可能命令をさらに含むことを特徴とする請求項４１に記載の１つまたは複数のコンピュータ可読メディア。
【請求項４６】
実行された際、前記ディスプレイソースデバイダに指示して、
前記ビデオディスプレイソースを水平方向で再サンプリングして、水平方向でサイズ変更されている前記複数の表示領域の１つまたは複数に対応する表示領域データを生成するようにさせ、
前記１つまたは複数の表示領域が垂直方向でサイズ変更されるように前記表示領域データを垂直方向で再サンプリングするようにさせるコンピュータ実行可能命令をさらに含むことを特徴とする請求項４１に記載の１つまたは複数のコンピュータ可読メディア。
【請求項４７】
実行された際、前記ディスプレイソースデバイダに指示して、
前記ビデオディスプレイソースを水平方向で再サンプリングして、水平方向でサイズ変更されている前記複数の表示領域の１つまたは複数に対応する表示領域データを生成するようにさせ、
前記１つまたは複数の表示領域が垂直方向でサイズ変更されるように前記表示領域データを垂直方向で再サンプリングするようにさせ、
前記１つまたは複数の表示領域がフルスクリーン表示のために位置付けられるようにタイミング同期データを生成するようにさせるコンピュータ実行可能命令をさらに含むことを特徴とする請求項４１に記載の１つまたは複数のコンピュータ可読メディア。